(57)【要約】      （修正有）【課題】記録紙に付けられる折り目の品位を向上することができる画像形成装置を提供する。【解決手段】印刷処理後に折り処理が実行されるとき、折り処理において付与される折り目の方向、及び各給紙トレイに格納されている記録紙のすき目情報に基づいて、印刷に使用される記録紙がセットされた給紙トレイを選択し、選択された給紙トレイから供給された記録紙に印刷処理を実行する。【選択図】図１１
2016034869.tif 000002
【特許請求の範囲】
【請求項１】
複数の給紙トレイを備え、各前記給紙トレイに格納されている記録紙に折り目を付与する画像形成装置において、
各前記給紙トレイに格納されている記録紙のすき目情報を取得する取得手段と、
前記取得されたすき目情報に基づいて前記複数の給紙トレイから使用する給紙トレイを選択する選択手段とを備えることを特徴とする画像形成装置。
【請求項２】
各前記給紙トレイに格納されている記録紙情報を識別する識別手段と、
前記記録紙において前記折り目を付与する場所に予め折り筋をつけるクリース処理が実行されるか否かを判別する判別手段を更に備え、
前記判別手段の判別の結果に応じて、前記選択手段は前記識別された記録紙情報に基づいて前記複数の給紙トレイから使用する給紙トレイを選択することを特徴とする請求項１記載の画像形成装置。
【請求項３】
前記選択手段は前記給紙トレイを少なくとも２つ選択した場合、前記記録紙の搬送距離が最も短い給紙トレイを使用する給紙トレイとして選択することを特徴とする請求項１又は２記載の画像形成装置。
【請求項４】
前記選択手段は前記給紙トレイを少なくとも２つ選択し、且つ前記給紙トレイに識別番号が付与される場合、前記識別番号の最も小さい給紙トレイを使用する給紙トレイとして選択することを特徴とする請求項１又は２記載の画像形成装置。
【請求項５】
複数の給紙トレイを備え、各前記給紙トレイに格納されている記録紙に折り目を付与する画像形成装置の制御方法において、
各前記給紙トレイに格納されている記録紙のすき目情報を取得する取得ステップと、
前記取得されたすき目情報に基づいて前記複数の給紙トレイから使用する給紙トレイを選択する選択ステップとを有することを特徴とする画像形成装置の制御方法。
【請求項６】
複数の給紙トレイを備え、各前記給紙トレイに格納されている記録紙に折り目を付与する画像形成装置の制御方法をコンピュータに実行させるプログラムであって、
前記画像形成装置の制御方法は、
各前記給紙トレイに格納されている記録紙のすき目情報を取得する取得ステップと、
前記取得されたすき目情報に基づいて前記複数の給紙トレイから使用する給紙トレイを選択する選択ステップとを有することを特徴とするプログラム。
【発明の詳細な説明】
【技術分野】
【０００１】
本発明は、画像形成装置、該装置の制御方法、及びプログラムに関する。
【背景技術】
【０００２】
画像形成装置、例えば、ＭＦＰ（Multi-Function Printer）は複数の給紙トレイを備え、各給紙トレイから供給された記録紙に文字等を印刷する。また、ＭＦＰはフィニッシング機能を有し、文字等が印刷された記録紙にフィニッシング処理、例えば、ステープル処理、パンチ処理、又は折り処理等を実行する。
【０００３】
フィニッシング機能を有する画像形成装置として、例えば、記録紙を普通紙、コート紙、及びフィルムの３つの種類に分類し、記録紙の種類に応じてフィニッシャ機能を制御する画像形成装置が知られている（例えば、特許文献１参照）。
【先行技術文献】
【特許文献】
【０００４】
【特許文献１】特開２００９‐１４５９７５号公報
【発明の概要】
【発明が解決しようとする課題】
【０００５】
しかしながら、特許文献１の画像形成装置は記録紙に普通紙を使用して折り処理を実行するとき、普通紙に形成されたすき目Ｗの方向（図１３の矢印ｄ１）を考慮せず、普通紙に折り目Ｃをつける。ここで、「すき目Ｗの方向」とは普通紙を構成する繊維の並びの方向である。すき目Ｗの方向及び普通紙につけられる折り目Ｃの方向（図１３の矢印ｄ２）が同一の場合（図１３（ｂ）参照）、すき目Ｗが折り処理の抵抗とならないため、普通紙に付けられる折り目の品位が向上する。一方、すき目Ｗの方向及び普通紙につけられた折り目Ｃの方向が同一でない場合（図１３（ａ）参照）、すき目Ｗが折り処理の抵抗となり、普通紙に折り目がつきにくいため、記録紙に付けられる折り目の品位が低下する。
【０００６】
本発明の目的は、記録紙に付けられる折り目の品位を向上することができる画像形成装置、該装置の制御方法、及びプログラムを提供することにある。
【課題を解決するための手段】
【０００７】
上記目的を達成するために、本発明の画像形成装置は、複数の給紙トレイを備え、各前記給紙トレイに格納されている記録紙に折り目を付与する画像形成装置において、各前記給紙トレイに格納されている記録紙のすき目情報を取得する取得手段と、前記取得されたすき目情報に基づいて前記複数の給紙トレイから使用する給紙トレイを選択する選択手段とを備えることを特徴とする。
【発明の効果】
【０００８】
本発明によれば、記録紙に付けられる折り目の品位を向上することができる。
【図面の簡単な説明】
【０００９】
【図１】本発明の実施の形態に係る画像形成装置の内部構成を概略的に示す図である。
【図２】図１における記録紙排出部に接続される記録紙排出装置の内部構成を概略的に示す図である。
【図３】図１の画像形成装置の内部構成を概略的に示すブロック図である。
【図４】図３における給排紙制御情報格納部に格納される給紙トレイ管理テーブルを説明するために用いられる図である。
【図５】図３における記録紙特性情報格納部に格納される記録紙特性管理テーブルを説明するために用いられる図である。
【図６】図１における操作部に表示される設定画面を説明するために用いられる図である。
【図７】図６の給紙トレイ情報設定ボタンが押下されたときに操作部に表示される給紙トレイ情報設定画面を説明するために用いられる図である。
【図８】図６の登録画面における記録紙特性設定ボタンが押下されたとき、又は図７の給紙トレイ情報設定画面における設定ボタンが押下されたときに操作部に表示される記録紙設定画面を説明するために用いられる図である。
【図９】図８の記録紙設定画面における詳細／編集ボタンが押下されたときに操作部に表示される詳細／編集画面を説明するために用いられる図である。
【図１０】図９の詳細／編集画面における変更ボタンが押下されたときに操作部に表示されるすき目情報設定画面を説明するために用いられる図である。
【図１１】図３におけるＣＰＵによって実行される給紙トレイ選択処理の手順を示すフローチャートである。
【図１２】図１１の給紙トレイ選択処理の変形例の手順を示すフローチャートである。
【図１３】すき目Ｗの方向及び普通紙につけられる折り目Ｃの方向との関係を説明するために用いられる図である。
【発明を実施するための形態】
【００１０】
以下、本発明の実施の形態について図面を参照しながら詳述する。
【００１１】
図１は、本発明の実施の形態に係る画像形成装置１００の内部構成を概略的に示す図である。
【００１２】
図１の画像形成装置１００は、画像形成部１０１、定着部１０２、スキャナ部１０３、操作部１０４、記録紙排出部１０５、トナー供給部１０６、及び外部給紙装置１０７を備える。画像形成部１０１は、給紙トレイ１０８，１０９、パス１１０、一次転写部１１１、転写ベルト１１２、及び二次転写部１１３を備える。定着部１０２は、定着ユニット１１４，１１５、パス１１６，１１７、スイッチバック部１１８、及び廃トナー収納部１１９を備える。外部給紙装置１０７はパス１２０及び給紙トレイ１２１，１２２，１２３を備える。
【００１３】
スキャナ部１０３は原稿を読み取って原稿の画像データを生成する。操作部１０４はハードキーやタッチパネル式の表示部を有し、例えば、ユーザが画像形成装置１００に指示を入力する際に使用される。記録紙排出部１０５は画像形成装置１００から文字等が印刷された記録紙を排出する。トナー供給部１０６は現像剤としてのトナーを画像形成部１０１に供給する。給紙トレイ１０８，１０９，１２１，１２２，１２３は画像形成装置１００に供給される記録紙を格納する。
【００１４】
パス１１０，１１６，１１７，１２０は記録紙を搬送する。一次転写部１１１は、例えば、スキャナ部１０３によって生成された画像データに基づいてトナー像を生成し、当該トナー像を転写ベルト１１２に転写する。二次転写部１１３は転写ベルト１１２に転写されたトナー像を記録紙に転写する。定着ユニット１１４は、二次転写部１１３においてトナー像が転写された記録紙に熱及び圧力を加え、トナー像を記録紙に定着させる。定着ユニット１１５は定着ユニット１１４によってトナー像が定着された記録紙に更なる熱と圧力を加えてトナー像を記録紙に強固に定着させる。
【００１５】
スイッチバック部１１８は記録紙の進行方向を転換し、又は記録紙の表裏を反転する。廃トナー収納部１１９はトナー供給部１０６によって供給されたトナーのうち一次転写部１１１によって生成されたトナー像に使用されなかったトナーを収納する。
【００１６】
図２は、図１における記録紙排出部１０５に接続される記録紙排出装置２００の内部構成を概略的に示す図である。
【００１７】
記録紙排出装置２００はクリーサ２０１、フィニッシャ２０２、及びトリマ２０３を備える。クリーサ２０１はパス２０４，２０５、凸状クリースダイ２０６、凹状クリースダイ２０７、及び操作部２０８を備える。フィニッシャ２０２はパス２０９〜２１２，２１９、排紙トレイ２１３，２１４、インサータ２１５、処理部２１６、中綴じ処理部２１７、及び中綴じ製本トレイ２１８を備える。トリマ２０３はカッタ部２２０及び断裁済み中綴じ製本トレイ２２１を備える。
【００１８】
クリーサ２０１は、記録紙排出部１０５に排出された記録紙に折り目をつける場合、当該折り目をつける場所に予め折り筋をつけるクリース処理を実行する。クリース処理が実行されるとき、クリーサ２０１に搬送された記録紙はパス２０５を経由して凸状クリースダイ２０６及び凹状クリースダイ２０７に挟まれ、記録紙には折り筋がつけられる。折り筋がつけられた記録紙はフィニッシャ２０２に搬送される。クリース処理が実行されないとき、クリーサ２０１に搬送された記録紙はパス２０４を経由し、フィニッシャ２０２に搬送される。操作部２０８はハードキーやタッチパネル式の表示部を有し、ユーザがクリーサ２０１に指示を入力する際に使用される。なお、クリース処理が実行される場合、記録紙には折り筋がつけられるため、後述する折り処理において折り目Ｃの方向が記録紙のすき目Ｗと一致していなくても、記録紙は折り筋に沿って折られる。これにより、クリース処理ではすき目Ｗが抵抗となることがなく、折り目の品位が低下することがない。
【００１９】
フィニッシャ２０２は、クリーサ２０１から搬送された記録紙に対してフィニッシング処理、例えば、ステープル処理のみ、又はステープル処理及び折り処理の２つの処理を含む中綴じ製本処理を実行する。フィニッシング処理を実行しないとき、クリーサ２０１から搬送された記録紙はパス２１０を経由して排紙トレイ２１３に搬送される。ステープル処理を実行するとき、クリーサ２０１から搬送された記録紙はパス２１１を経由して処理部２１６に搬送される。処理部２１６に記録紙が複数搬送されたとき、処理部２１６は複数の記録紙に対してステープル処理を実行し、ステープル処理によって束ねられた複数の記録紙は排紙トレイ２１４に搬送される。処理部２１６に搬送された複数の記録紙又は後述する束状記録紙には挿入紙が挿入されていてもよく、当該挿入紙はインサータ２１５から供給される。
【００２０】
中綴じ製本処理を実行するとき、クリーサ２０１から搬送された記録紙は中綴じ処理部２１７に搬送される。中綴じ処理部２１７はステープル処理部２１７ａ及び突板２１７ｂを備え、中綴じ処理部２１７に記録紙が複数搬送されたとき、ステープル処理部２１７ａは複数の記録紙に対してステープル処理を実行する。このとき、ステープル処理は後述する折り処理によって付与される折り目Ｃに沿って実行される。ステープル処理が実行されて１つの束となった記録紙（以下、「束状記録紙」という。）には突板２１７ｂが押圧され、束状記録紙が２つ折りにされる折り処理が実行される。
【００２１】
２つ折りにされた束状記録紙はパス２１９を経由してトリマ２０３のカッタ部２２０に搬送され、当該束状記録紙に対して断裁処理が実行される。なお、断裁処理が実行されないとき、束状記録紙は中綴じ製本トレイ２１８に搬送される。断裁処理とは、束状記録紙の４つの端部のうち折り目Ｃに対応する端部を除く３つの端部の余剰部分等を断裁する処理である。カッタ部２２０における断裁処理が実行された後、束状記録紙は断裁済み中綴じ製本トレイ２２１に搬送される。
【００２２】
図３は、図１の画像形成装置１００の内部構成を概略的に示すブロック図である。
【００２３】
図３の画像形成装置１００は、メインコントローラ３００、操作部１０４、ＲＩＰ３０１、給排紙装置３０２、及びプリンタ３０３を備える。メインコントローラ３００は、ＣＰＵ３０４、ＲＡＭ３０５、操作部Ｉ／Ｆ３０６、ネットワークＩ／Ｆ３０７、モデム３０８、ＲＯＭ３０９、及びＨＤＤ３１０を備え、これらの構成要素はＣＰＵバス３１１を介して互いに接続されている。
【００２４】
また、メインコントローラ３００は、ＲＩＰ  Ｉ／Ｆ３１２、データ圧縮部３１３、デバイスＩ／Ｆ３１４、画像処理部３１５、給紙制御部３１６、排紙制御部３１７、記録紙特性情報格納部３１８、ジョブ制御部３１９、及び給排紙制御情報格納部３２０を備え、これらの構成要素はイメージバス３２１を介して互いに接続されている。ＣＰＵバス３１１及びイメージバス３２１はイメージバスＩ／Ｆ３２２を介して接続されている。
【００２５】
操作部Ｉ／Ｆ３０６、ネットワークＩ／Ｆ３０７、モデム３０８、ＲＩＰ  Ｉ／Ｆ３１２、デバイスＩ／Ｆ３１４は、夫々操作部１０４、ネットワークケーブル３２３、電話回線ケーブル３２４、ＲＩＰ３０１、並びに、給排紙装置３０２及びプリンタ３０３に接続されている。
【００２６】
ＲＩＰ３０１は画像記述言語で記述された画像データをビットマップイメージデータに変換する。給排紙装置３０２は、例えば、ユーザが操作部１０４を介して画像データの印刷を指示したとき、印刷を実行するプリンタ３０３に記録紙を供給し、印刷が終了したとき、プリンタ３０３から記録紙を排出する。ＣＰＵ３０４はＲＡＭ３０５に格納されたプログラムを動作してメインコントローラ３００を制御する。ＲＡＭ３０５は、各種プログラム、外部装置から受信したデータ、又はＲＩＰ３０１によって変換されたビットマップイメージデータ等を格納する。
【００２７】
ＲＯＭ３０９はＣＰＵ３０４において動作する各種プログラムや各種データ等を格納する。ＨＤＤ３１０は不揮発性の記憶装置であり、各種プログラムや各種データ等を格納する。データ圧縮部３１３は、例えば、画像データの容量を圧縮する。画像処理部３１５はＲＩＰ３０１によって変換されたビットマップイメージデータにサイズを変更するリサイズ処理、色変換処理、又は複数のビットマップイメージデータを合成する合成処理を実行する。給紙制御部３１６はＣＰＵ３０４及びジョブ制御部３１９と共にプリンタ３０３への記録紙の供給を制御し、排紙制御部３１７はＣＰＵ３０４及びジョブ制御部３１９と共にクリーサ２０１、フィニッシャ２０２、トリマ２０３の動作を制御する。
【００２８】
記録紙特性情報格納部３１８は後述する記録紙特性管理テーブル５００を格納する。ジョブ制御部３１９は外部装置から受信したデータをジョブとして解析し、記録紙の供給及びフィニッシング処理に関する情報を取得すると共に記録紙の供給、クリーサ２０１、フィニッシャ２０２、及びトリマ２０３の動作を制御する。給排紙制御情報格納部３２０は後述する給紙トレイ管理テーブル４００を格納する。
【００２９】
図４は、図３における給排紙制御情報格納部３２０に格納される給紙トレイ管理テーブル４００を説明するために用いられる図である。
【００３０】
図４の給紙トレイ管理テーブル４００はユーザが給紙トレイ１０８，１０９，１２１，１２２，１２３の各々に格納される記録紙の記録紙特性を認識するために使用され、給紙トレイ番号４０１、記録紙特性ＩＤ４０２、記録紙サイズ４０３、記録紙の向き４０４、及び記録紙の種別４０５を有する。
【００３１】
給紙トレイ番号４０１は給紙トレイ１０８，１０９，１２１，１２２，１２３の各々に付与された番号である。記録紙特性ＩＤ４０２は後述する記録紙特性管理テーブル５００における管理番号５０１であり、給紙トレイ管理テーブル４００及び記録紙特性管理テーブル５００は記録紙特性ＩＤ４０２及び管理番号５０１によって関連付けられる。記録紙サイズ４０３は各給紙トレイに格納された記録紙のサイズであり、例えば、ＪＩＳ規格又はＩＳＯ規格等で定められているサイズ、若しくは記録紙の長辺及び短辺の積を表示する。
【００３２】
記録紙の向き４０４は各給紙トレイに格納されている記録紙の向きであり、記録紙の長手方向（Ｌ）又は短手方向（Ｓ）を示す。記録紙の向き４０４に記録紙の長手方向（Ｌ）が示されているとき、給紙トレイから画像形成部１０１に記録紙が給紙される給紙方向及び記録紙の長手方向（Ｌ）が同一の方向であり、記録紙の向き４０４に記録紙の短手方向（Ｓ）が示されているとき、給紙トレイから画像形成部１０１に記録紙が給紙される給紙方向及び記録紙の短手方向（Ｓ）が同一の方向である。記録紙の種別４０５は普通紙、コート紙、又は厚紙を示す。
【００３３】
図５は、図３における記録紙特性情報格納部３１８に格納される記録紙特性管理テーブル５００を説明するために用いられる図である。
【００３４】
図５の記録紙特性管理テーブル５００は記録紙が有する記録紙特性を複数管理し、管理番号５０１、名称５０２、記録紙サイズ５０３、記録紙の種別５０４、坪量５０５、色５０６、クリープ補正量５０７、カール補正５０８、及びすき目情報５０９を有する。
【００３５】
管理番号５０１は記録紙毎に付与された番号である。名称５０２は記録紙毎に付与され、後述する記録紙設定画面８００及び詳細／編集画面９００（図８及び図９）に表示される。記録紙サイズ５０３は記録紙のサイズであり、例えば、ＪＩＳ規格又はＩＳＯ規格等で定められているサイズ、若しくは記録紙の長辺及び短辺の積を表示する。記録紙の種別５０４は普通紙、コート紙、又は厚紙を示す。坪量５０５は記録紙の１ｍ２当たりの重量である。色５０６は記録紙の色である。
【００３６】
クリープ補正量５０７は中綴じ製本された束状記録紙の最も外側の記録紙及び最も内側の記録紙に印刷された画像データの印刷位置にずれを設けるために用いられる。例えば、クリープ補正量５０７に０．２ｍｍが表示されている場合、束状記録紙の最も外側の記録紙に印刷された画像データは束状記録紙の最も内側の記録紙に印刷された画像データよりも折り目Ｃの方向に０．２ｍｍ移動した状態で印刷される。
【００３７】
カール補正５０８はトナーを定着させる際に湾曲した記録紙の湾曲を補正するカール補正の有無を示す。すき目情報５０９はすき目Ｗの方向及び記録紙の長手方向が同一であるとき、「水平」を示し、すき目Ｗの方向及び記録紙の長手方向が垂直であるとき、「垂直」を示す。また、すき目情報５０９はすき目情報が設定されていないとき「無」を示す。
【００３８】
図６は、図１における操作部１０４に表示される設定画面６００を説明するために用いられる図である。
【００３９】
図６の設定画面６００は給紙トレイ情報設定ボタン６０１及び記録紙特性設定ボタン６０２を有する。給紙トレイ情報設定ボタン６０１は給紙トレイ管理テーブル４００が有する各給紙トレイに格納されている記録紙の記録紙特性を編集するときに押下される。給紙トレイ情報設定ボタン６０１が押下されたとき、図７の給紙トレイ情報設定画面７００が表示される。
【００４０】
図７の給紙トレイ情報設定画面７００は選択ボタン７０１，７０１ａ、記録紙情報表示部７０２、設定ボタン７０３、ＯＫボタン７０４、及びキャンセルボタン７０５を有する。選択ボタン７０１は１から５の数字が付された５つのボタンであり、１から５の数字は上述した給紙トレイ番号４０１であり、例えば、給紙トレイ番号１から給紙トレイ番号５はそれぞれ給紙トレイ１０８，１０９，１２１，１２２，１２３に対応する。選択ボタン７０１ａが選択されたとき、記録紙情報表示部７０２には給紙トレイ番号４０１が１の給紙トレイに格納されている記録紙の情報が簡易的に表示され、ここでは記録紙サイズがＡ４であると共に記録紙の種別が普通紙であることが表示されている。また、選択ボタン７０１ａが選択された状態で設定ボタン７０３が押下されたとき、図８の記録紙設定画面８００が操作部１０４に表示される。
【００４１】
記録紙設定画面８００は、記録紙特性表示部８０１、詳細／編集ボタン８０２、新規ボタン８０３、削除ボタン８０４、ＯＫボタン８０５、及びキャンセルボタン８０６を有する。記録紙設定画面８００は各給紙トレイに格納された記録紙の記録紙特性を編集するときに使用され、編集された記録紙特性は記録紙特性管理テーブル５００に反映される。
【００４２】
記録紙特性表示部８０１は記録紙特性管理テーブル５００に格納されている記録紙特性を表示し、ここでは、名称５０２、記録紙サイズ５０３、記録紙の種別５０４、坪量５０５、及び色５０６を表示している。詳細／編集ボタン８０２は記録紙特性表示部８０１に表示された記録紙特性の詳細を閲覧し、又は編集するときに押下される。詳細／編集ボタン８０２が押下されたとき、図９の詳細／編集画面９００が操作部１０４に表示される。
【００４３】
図９の詳細／編集画面９００は変更ボタン９０１，９０１ａ、ＯＫボタン９０２、及びキャンセルボタン９０３を有する。詳細／編集画面９００では、例えば、ユーザがすき目情報５０９を変更するとき、変更ボタン９０１ａを押下する。変更ボタン９０１ａが押下されたとき、図１０のすき目情報設定画面１０００が操作部１０４に表示される。
【００４４】
図１０のすき目情報設定画面１０００はＯＮボタン１００１、ＯＦＦボタン１００２、垂直ボタン１００３、水平ボタン１００４、ＯＫボタン１００５、及びキャンセルボタン１００６を有する。ＯＮボタン１００１は記録紙特性管理テーブル５００のすき目情報５０９に「水平」又は「垂直」を設定するときに押下され、ＯＦＦボタンは記録紙特性管理テーブル５００のすき目情報５０９に「無」を設定するときに押下される。
【００４５】
ＯＮボタン１００１が押下されたとき、ユーザは垂直ボタン１００３又は水平ボタン１００４を選択する。例えば、変更ボタン９０１ａを押下する前のすき目情報５０９は垂直と表示され、ユーザがすき目情報５０９を水平に変更するとき、水平ボタン１００４を選択してＯＫボタン１００５を押下し、ユーザがすき目情報５０９を変更しないとき、キャンセルボタン１００６を押下する。
【００４６】
ＯＫボタン１００５又はキャンセルボタン１００６が押下されたとき、再度、詳細／編集画面９００が操作部１０４に表示される。ＯＫボタン９０２は記録紙特性の編集内容を確定するときに押下され、キャンセルボタン９０３は記録紙特性の編集を中断するときに押下される。ＯＫボタン９０２又はキャンセルボタン９０３が押下されたとき、記録紙設定画面８００が操作部１０４に表示される。
【００４７】
新規ボタン８０３は記録紙特性管理テーブル５００に記録紙特性を新たに追加するときに押下される。新規ボタン８０３が押下されたとき、操作部１０４に表示された新規情報登録画面（図示せず）を介して記録紙特性を新たに追加する。削除ボタン８０４は記録紙特性が削除されるときに押下される。ＯＫボタン８０５は編集され、又は新たに追加された記録紙特性を記録紙特性管理テーブル５００に反映させるときに押下され、キャンセルボタン８０６は記録紙特性の編集等が中断されるときに押下される。
【００４８】
ＯＫボタン８０５又はキャンセルボタン８０６が押下されたとき、再度給紙トレイ情報設定画面７００が操作部１０４に表示される。ＯＫボタン７０４は記録紙設定画面８００を介して編集され、又は新たに追加された記録紙特性を給紙トレイ管理テーブル４００に反映させるときに押下され、キャンセルボタン７０５は編集され、又は追加された記録紙特性を給紙トレイ管理テーブル４００に反映させないときに押下される。
【００４９】
図６に戻り、記録紙特性設定ボタン６０２は記録紙特性管理テーブル５００が有する各記録紙の記録紙特性を編集するときに押下される。記録紙特性設定ボタン６０２が押下されたとき、記録紙設定画面８００が操作部１０４に表示され、記録紙設定画面８００、詳細／編集画面９００、すき目情報設定画面１０００、及び新規情報登録画面（図示せず）等を介して記録紙特性が編集され、又は追加される。編集され、又は追加された記録紙特性は記録紙特性管理テーブル５００に反映される。
【００５０】
次に、本発明の実施の形態に係る画像形成装置の制御方法としての給紙トレイ選択処理について説明する。
【００５１】
図１１は、図３におけるＣＰＵ３０４によって実行される給紙トレイ選択処理の手順を示すフローチャートである。
【００５２】
図１１において、まず、印刷ジョブを外部装置から受信し、受信した印刷ジョブをジョブ制御部３１９と共に解析し（ステップＳ１１０１）、印刷に使用される記録紙サイズ及び記録紙の種別等の記録紙情報を取得すると共に、折り処理が実行されるか否かの情報を取得し（ステップＳ１１０２）、取得した記録紙情報と一致する記録紙情報の記録紙を格納する給紙トレイがあるか否かを、給紙トレイ管理テーブル４００を参照して判別する（ステップＳ１１０３）。具体的には、記録紙サイズがＡ４、記録紙の向きがＳ、記録紙の種別が普通紙であるとする記録紙情報を取得した場合、当該記録紙情報と一致する記録紙情報の記録紙を格納する給紙トレイは給紙トレイ番号４０１が１又は２の給紙トレイであると判別される。
【００５３】
ステップＳ１１０３の判別の結果、取得した記録紙情報と一致する記録紙情報の記録紙を格納する給紙トレイがないとき、画像形成装置１００に記録紙を供給できないことを操作部１０４に表示し（エラー表示）（ステップＳ１１０４）、印刷に使用される記録紙が給紙トレイにセットされたか否かを判別する（ステップＳ１１０５）。ステップＳ１１０５の判別の結果、印刷に使用される記録紙が給紙トレイにセットされたとき、ステップＳ１１０２に進み、印刷に使用される記録紙が給紙トレイにセットされていないとき、ステップＳ１１０４に進む。
【００５４】
ステップＳ１１０３の判別の結果、取得した記録紙情報と一致する記録紙情報の記録紙を格納する給紙トレイがあるとき、ステップＳ１１０２で取得された情報に基づいて折り処理が実行されるか否かを判別する（ステップＳ１１０６）。ステップＳ１１０６の判別の結果、折り処理が実行されないとき、ステップＳ１１０２で取得された記録紙情報に基づいて給紙トレイを選択し（ステップＳ１１０９）、選択された給紙トレイから供給された記録紙に印刷処理を実行して（ステップＳ１１１０）本処理を終了する。
【００５５】
ステップＳ１１０６の判別の結果、折り処理が実行されるとき、ステップＳ１１０２で取得された記録紙情報及び記録紙特性管理テーブル５００に基づいて給紙トレイを選択し（ステップＳ１１０８）、ステップＳ１１１０に進む。本実施の形態では、ステップＳ１１０３において、記録紙情報と一致する記録紙情報の記録紙を格納する給紙トレイは給紙トレイ番号４０１が１又は２の給紙トレイであると判別されるが、折り処理において記録紙の長手方向と同一の方向に折り目Ｃが付与されるとき、すき目情報５０９が「水平」である記録紙が格納されている給紙トレイ、すなわち、記録紙特性ＩＤ４０２が０００２である給紙トレイ番号２の給紙トレイが選択される。また、折り処理において記録紙の短手方向と同一の方向に折り目Ｃが付与されるとき、すき目情報５０９が「垂直」である記録紙が格納されている給紙トレイ、すなわち、記録紙特性ＩＤ４０２が０００１である給紙トレイ番号１の給紙トレイが選択される。換言すれば、本実施の形態では、折り処理が実行されるとき、付与される折り目Ｃの方向、及び各給紙トレイに格納されている記録紙のすき目情報５０９に基づいて、折り処理において付与される折り目Ｃの方向と同一の方向のすき目情報５０９の記録紙がセットされた給紙トレイを印刷処理に使用する給紙トレイとして選択する。
【００５６】
図１１の処理によれば、折り処理において付与される折り目Ｃの方向と同一の方向のすき目情報５０９の記録紙が格納されている給紙トレイが選択されるので、記録紙のすき目Ｗの方向と同一の方向に折り目Ｃを記録紙につけることができ、もって、記録紙に付けられる折り目の品位を向上することができる。
【００５７】
なお、ステップＳ１１０９において、複数の給紙トレイが選択された場合、若しくは、ステップＳ１１０８において、付与される折り目Ｃの方向と同一の方向のすき目情報５０９の記録紙が格納されている給紙トレイが複数選択された場合、選択された複数の給紙トレイから二次転写部１１３までの搬送距離が最短の給紙トレイが選択されてもよく、この場合、記録紙が二次転写部１１３を経由して排紙トレイ２１３，２１４に排紙されるまでに要する時間を短縮することができ、もって、記録紙に折り目を効率的につけることができる。
【００５８】
また、ステップ１１０９において、複数の給紙トレイが選択された場合、若しくは、ステップＳ１１０８において、付与される折り目Ｃの方向と同一の方向のすき目情報５０９の記録紙が格納されている給紙トレイが複数選択された場合、給紙トレイ管理テーブル４００における給紙トレイ番号４０１（識別番号）の小さい給紙トレイが選択されてもよく、この場合、例えば、使用頻度の高い記録紙を給紙トレイ番号４０１の小さい給紙トレイに格納することにより、ユーザは記録紙の消費量を簡単に管理できる。
【００５９】
次に、本発明の実施の形態に係る画像形成装置の制御方法の変形例としての給紙トレイ選択処理について説明する。
【００６０】
図１２は、図１１の給紙トレイ選択処理の変形例の手順を示すフローチャートである。
【００６１】
図１２のステップＳ１１０１〜Ｓ１１１０は図１１のステップＳ１１０１〜Ｓ１１１０の処理と同一であり、以下において、図１１の処理と異なる点のみ説明する。
【００６２】
図１２において、ステップＳ１１０６の判別の結果、折り処理が実行されるとき、さらに、クリース処理が実行されるか否かを判別する（ステップＳ１２０１）。ステップＳ１２０１の判別の結果、クリース処理を実行するとき、ステップＳ１１０９に進み、クリース処理を実行しないとき、例えば、ステップＳ１１０２で取得した記録紙情報と一致する記録紙情報の記録紙を格納するとステップＳ１１０３で判別された給紙トレイが格納する記録紙の種別がフィルムのとき、ステップＳ１１０８に進む。
【００６３】
図１２の処理によれば、クリース処理を実行するとき、ステップＳ１１０８に進むことがなく、ステップＳ１１０９に進むため、使用する給紙トレイを選択する際に、各給紙トレイに格納されている記録紙のすき目情報５０９を考慮する必要がなく、もって、使用する給紙トレイの選択を容易に行うことができる。
【００６４】
上述した実施の形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムを読み出して実行する処理において、そのプログラム、及び該プログラムを格納するコンピュータ読み取り可能な記憶媒体は本発明を構成する。
【符号の説明】
【００６５】
１００  画像形成装置
１０８，１０９，１２１，１２２，１２３  給紙トレイ
２１７  中綴じ処理部
４００  給紙トレイ管理テーブル
５００  記録紙特性管理テーブル
【図１】
2016034869.tif 000003
【図２】
2016034869.tif 000004
【図３】
2016034869.tif 000005
【図４】
2016034869.tif 000006
【図５】
2016034869.tif 000007
【図６】
2016034869.tif 000008
【図７】
2016034869.tif 000009
【図８】
2016034869.tif 000010
【図９】
2016034869.tif 000011
【図１０】
2016034869.tif 000012
【図１１】
2016034869.tif 000013
【図１２】
2016034869.tif 000014
【図１３】
2016034869.tif 000015